【手続補正書】
【提出日】平成25年6月20日(2013.6.20)
【手続補正１】
【補正対象書類名】明細書
【補正対象項目名】発明の名称
【補正方法】変更
【補正の内容】
【発明の名称】撮像装置、情報配信装置、及び情報送信方法、情報配信方法、並びにプログラム
【手続補正２】
【補正対象書類名】明細書
【補正対象項目名】０００１
【補正方法】変更
【補正の内容】
【０００１】
本発明は、撮像装置、情報配信装置、及び情報送信方法、情報配信方法、並びにプログラムに関し、特に、情報配信装置であるサーバ装置がカメラ等の撮像装置で撮影・処理された画像ファイルを受信して、他の機器にネットワークを介して配信する技術に関する。
【手続補正３】
【補正対象書類名】明細書
【補正対象項目名】０００６
【補正方法】変更
【補正の内容】
【０００６】
そこで、本発明の目的は、画像を他の機器に配信する際、他の機器を使用するユーザが画像の撮影情報によって撮影者の現在位置を知るのを防ぐことのできる撮像装置、情報配信装置、及び情報送信方法、情報配信方法、並びにプログラムを提供することにある。
【手続補正４】
【補正対象書類名】明細書
【補正対象項目名】０００７
【補正方法】変更
【補正の内容】
【０００７】
上記の目的を達成するため、本発明の１つは、撮影により得られた画像ファイルを外部装置に送信可能な撮像装置において、前記画像ファイルの撮影場所から前記撮像装置の現在位置までの距離を算出する算出手段と、前記算出手段により算出された距離と所定値とを比較する比較手段と、前記比較手段による比較の結果、前記距離が前記所定値より大きい場合に、前記画像ファイルを前記外部装置に送信し、前記距離が前記所定値より大きくない場合に、前記画像ファイルを前記外部装置に送信しないように制御する送信制御手段とを有することを特徴とする。
【手続補正５】
【補正対象書類名】特許請求の範囲
【補正対象項目名】全文
【補正方法】変更
【補正の内容】
【特許請求の範囲】
【請求項１】
撮影により得られた画像ファイルを外部装置に送信可能な撮像装置において、
前記画像ファイルの撮影場所から前記撮像装置の現在位置までの距離を算出する算出手段と、
前記算出手段により算出された距離と所定値とを比較する比較手段と、
前記比較手段による比較の結果、前記距離が前記所定値より大きい場合に、前記画像ファイルを前記外部装置に送信し、前記距離が前記所定値より大きくない場合に、前記画像ファイルを前記外部装置に送信しないように制御する送信制御手段とを有することを特徴とする撮像装置。
【請求項２】
前記所定値は、前記外部装置の種別、前記画像ファイルに含まれる被写体の種別、前記撮像装置の移動速度、前記撮影場所の区域、及び前記画像ファイルの撮影日時のうち少なくとも１つに応じて予め設定されることを特徴とする請求項１記載の撮像装置。
【請求項３】
撮影により得られた画像ファイルを外部装置に送信可能な撮像装置において、
前記画像ファイルの撮影日時から現在の時刻までの経過時間と所定の待機時間とを比較する比較手段と、
前記比較手段による比較の結果、前記経過時間が前記所定の待機時間より大きい場合に、前記画像ファイルを前記外部装置に送信し、前記経過時間が前記所定の待機時間より大きくない場合に、前記画像ファイルを前記外部装置に送信しないように制御する送信制御手段とを有することを特徴とする撮像装置。
【請求項４】
撮影により得られた画像ファイルを外部装置に送信可能な撮像装置において、
前記画像ファイルの撮影場所から前記撮像装置の現在位置までの距離を算出する算出手段と、
前記算出手段により算出された距離と所定値とを比較する比較手段と、
前記比較手段による比較の結果、前記距離が前記所定値より大きい場合に、前記画像ファイルに含まれる画像データおよび撮影場所情報を前記外部装置に送信し、前記距離が前記所定値より大きくない場合に、前記画像ファイルに含まれる画像データを前記外部装置に送信し、撮影場所情報を前記外部装置に送信しないように制御する送信制御手段とを有することを特徴とする撮像装置。
【請求項５】
外部装置から画像ファイルを受信して当該画像ファイルを他の機器に配信可能な情報配信装置において、
前記外部装置の現在位置を取得する取得手段と、
前記画像ファイルの撮影場所から前記取得手段により取得された前記外部装置の現在位置までの距離を算出する算出手段と、
前記算出手段により算出された距離と所定値とを比較する比較手段と、
前記比較手段による比較の結果、前記距離が前記所定値より大きい場合に、前記画像ファイルを前記他の機器に配信し、前記算出された距離が前記所定値より大きくない場合に、前記画像ファイルを前記他の機器に配信しないように制御する配信制御手段とを有することを特徴とする情報配信装置。
【請求項６】
前記所定値は、前記撮影場所の区域及び前記画像ファイルの撮影日時のうち少なくとも１つに応じて予め設定されることを特徴とする請求項５に記載の情報配信装置。
【請求項７】
外部装置から画像ファイルを受信して当該画像ファイルを他の機器に配信可能な情報配信装置において、
前記画像ファイルの撮影日時から現在の時刻までの経過時間と所定の待機時間とを比較する比較手段と、
前記比較手段による比較の結果、前記経過時間が前記所定の待機時間より大きい場合に、前記画像ファイルを前記他の機器に配信し、前記経過時間が前記所定の待機時間より大きくない場合に、前記画像ファイルを前記他の機器に配信しないように制御する配信制御手段とを有することを特徴とする情報配信装置。
【請求項８】
外部装置から画像ファイルを受信して当該画像ファイルを他の機器に配信可能な情報配信装置において、
前記画像ファイルの撮影日時から現在の時刻までの経過時間と所定の待機時間とを比較する比較手段と、
前記比較手段による比較の結果、前記経過時間が前記所定の待機時間より大きい場合に、前記画像ファイルに含まれる画像データおよび撮影場所情報を前記他の機器に配信し、前記経過時間が前記所定の待機時間より大きくない場合に、前記画像ファイルに含まれる画像データを前記他の機器に配信し、撮影場所情報を配信しないように制御する配信制御手段とを有することを特徴とする情報配信装置。
【請求項９】
撮像装置により撮像された画像ファイルを外部装置に送信する情報送信方法において、
前記画像ファイルの撮影場所から前記撮像装置の現在位置までの距離を算出する算出ステップと、
前記算出された距離と所定値とを比較する比較ステップと、
前記比較の結果、前記距離が前記所定値より大きい場合に、前記画像ファイルを前記外部装置に送信する送信ステップとを有することを特徴とする情報送信方法。
【請求項１０】
撮像装置により撮像された画像ファイルを外部装置に送信する情報送信方法において、
前記画像ファイルの撮影日時から現在の時刻までの経過時間と所定の待機時間とを比較する比較ステップと、
前記比較の結果、前記経過時間が前記所定の待機時間より大きい場合に、前記画像ファイルを前記外部装置に送信する送信ステップとを有することを特徴とする情報送信方法。
【請求項１１】
撮像装置により撮像された画像ファイルを外部装置に送信する情報送信方法において、
前記画像ファイルの撮影場所から前記撮像装置の現在位置までの距離を算出する算出ステップと、
前記算出された距離と所定値とを比較する比較ステップと、
前記比較の結果、前記距離が前記所定値より大きい場合に、前記画像ファイルに含まれる画像データおよび撮影場所情報を前記外部装置に送信する第１の送信ステップと、
前記比較の結果、前記距離が前記所定値より大きくない場合に、前記画像ファイルに含まれる撮影場所情報を除き画像データを前記外部装置に送信する第２の送信ステップとを有することを特徴とする情報配信方法。
【請求項１２】
外部装置から画像ファイルを受信して当該画像ファイルを他の機器に配信する情報配信方法において、
前記外部装置の現在位置を取得する取得ステップと、
前記画像ファイルの撮影場所から前記取得ステップで取得された前記外部装置の現在位置までの距離を算出する算出ステップと、
前記算出された距離と所定値とを比較する比較ステップと、
前記比較の結果、前記距離が前記所定値より大きい場合に、前記画像ファイルを前記他の機器に配信する配信ステップとを有することを特徴とする情報配信方法。
【請求項１３】
外部装置から画像ファイルを受信して当該画像ファイルを他の機器に配信する情報配信方法において、
前記画像ファイルの撮影日時から現在の時刻までの経過時間と所定の待機時間とを比較する比較ステップと、
前記比較の結果、前記経過時間が前記所定の待機時間より大きい場合に、前記画像ファイルを前記他の機器に配信する配信ステップとを有することを特徴とする情報配信方法。
【請求項１４】
外部装置から画像ファイルを受信して当該画像ファイルを他の機器に配信する情報配信方法において、
前記画像ファイルの撮影日時から現在の時刻までの経過時間と所定の待機時間とを比較する比較ステップと、
前記比較の結果、前記経過時間が前記所定の待機時間より大きい場合に、前記画像ファイルに含まれる画像データおよび撮影場所情報を前記他の機器に配信する第１の配信ステップと、
前記比較の結果、前記経過時間が前記所定の待機時間より大きくない場合に、前記画像ファイルに含まれる撮影場所情報を除いて画像データを前記他の機器に配信する第２の配信ステップとを有することを特徴とする情報配信方法。
【請求項１５】
撮像装置により撮像された画像ファイルを外部装置に送信する情報送信方法をコンピュータに実行させるプログラムであって、
前記情報処理方法は、
前記画像ファイルの撮影場所から前記撮像装置の現在位置までの距離を算出する算出ステップと、
前記算出された距離と所定値とを比較する比較ステップと、
前記比較の結果、前記距離が前記所定値より大きい場合に、前記画像ファイルを前記外部装置に送信する送信ステップとを有することを特徴とするプログラム。
【請求項１６】
撮像装置により撮像された画像ファイルを外部装置に送信する情報送信方法をコンピュータに実行させるプログラムであって、
前記情報送信方法は、
前記画像ファイルの撮影日時から現在の時刻までの経過時間と所定の待機時間とを比較する比較ステップと、
前記比較の結果、前記経過時間が前記所定の待機時間より大きい場合に、前記画像ファイルを前記外部装置に送信する送信ステップとを有することを特徴とするプログラム。
【請求項１７】
撮像装置により撮像された画像ファイルを外部装置に送信する情報送信方法をコンピュータに実行させるプログラムであって、
前記情報送信方法は、
前記画像ファイルの撮影場所から前記撮像装置の現在位置までの距離を算出する算出ステップと、
前記算出された距離と所定値とを比較する比較ステップと、
前記比較の結果、前記距離が前記所定値より大きい場合に、前記画像ファイルに含まれる画像データおよび撮影場所情報を前記外部装置に送信する第１の送信ステップと、
前記比較の結果、前記距離が前記所定値より大きくない場合に、前記画像ファイルに含まれる撮影場所情報を除き画像データを前記外部装置に送信する第２の送信ステップとを有することを特徴とするプログラム。
【請求項１８】
外部装置から画像ファイルを受信して当該画像ファイルを他の機器に配信する情報配信方法をコンピュータに実行させるプログラムであって、
前記情報配信方法は、
前記外部装置の現在位置を取得する取得ステップと、
前記画像ファイルの撮影場所から前記取得ステップで取得された前記外部装置の現在位置までの距離を算出する算出ステップと、
前記算出された距離と所定値とを比較する比較ステップと、
前記比較の結果、前記距離が前記所定値より大きい場合に、前記画像ファイルを前記他の機器に配信する配信ステップとを有することを特徴とするプログラム。
【請求項１９】
外部装置から画像ファイルを受信して当該画像ファイルを他の機器に配信する情報配信方法をコンピュータに実行させるプログラムであって、
前記情報配信方法は、
前記画像ファイルの撮影日時から現在の時刻までの経過時間と所定の待機時間とを比較する比較ステップと、
前記比較の結果、前記経過時間が前記所定の待機時間より大きい場合に、前記画像ファイルを前記他の機器に配信する配信ステップとを有することを特徴とするプログラム。
【請求項２０】
外部装置から画像ファイルを受信して当該画像ファイルを他の機器に配信する情報配信方法をコンピュータに実行させるプログラムであって、
前記情報配信方法は、
前記画像ファイルの撮影日時から現在の時刻までの経過時間と所定の待機時間とを比較する比較ステップと、
前記比較の結果、前記経過時間が前記所定の待機時間より大きい場合に、前記画像ファイルに含まれる画像データおよび撮影場所情報を前記他の機器に配信する第１の配信ステップと、
前記比較の結果、前記経過時間が前記所定の待機時間より大きくない場合に、前記画像ファイルに含まれる撮影場所情報を除いて画像データを前記他の機器に配信する第２の配信ステップとを有することを特徴とするプログラム。